(57)【要約】【課題】調理後に残遅運転できると共に、安価なレンジフードとする。【解決手段】フード１０と、モータ１２で回転される排気ファン１１と、そのモータ１２を駆動制御するスイッチ装置２０を備えたレンジフードにおいて、前記スイッチ装置２０は急速スイッチ２１、通常スイッチ２２、タイマー２３、切スイッチ２４を有したメカスイッチ部２６を有した安価なものとし、前記タイマースイッチ２３の出力側にタイマー回路３０を設け、このタイマー回路３０の設定時間だけモータ１２に通電できるようにすることで、調理後にタイマースイッチ２３をＯＮすることで残遅運転できるようにする。【選択図】図２
2008298357.tif 000002
【特許請求の範囲】
【請求項１】
フード１０と、モータ１２で回転される排気ファン１１と、前記モータ１２を駆動制御するスイッチ装置２０を備え、
前記スイッチ装置２０は、電源２７とモータ１２を接続し、当該モータ１２を異なる速度で駆動する複数のスイッチと切スイッチを有したメカスイッチ部２６を備え、
前記複数のスイッチにおけるいずれかのスイッチとモータ１２との間に、設定時間だけモータ１２に通電するタイマー回路３０を設けたことを特徴とするレンジフード。
【請求項２】
前記タイマー回路３０により設定時間だけ作動する表示部をスイッチ装置２０に設けた請求項１記載のレンジフード。
【請求項３】
前記タイマー回路３０は、電源部３１とタイマー駆動部３２と出力部３３を備え、前記電源部３１は電源２７に接続して常時所定の電圧に維持されて前記タイマー駆動部３２を待機状態とし、
前記電源部３１の電圧の立ち上がり、立ち下がりを遅く、前記タイマー駆動部３２の電圧の立ち上がり、立下りを早くし、
前記いずれかのスイッチのＯＮ信号でタイマー駆動部３２は直ちにセットされて設定時間だけ出力部３３からモータ１２に通電し、前記いずれかのスイッチのＯＦＦ信号でタイマー駆動部３２は直ちにクリアされるようにした請求項１又は２記載のレンジフード。
【請求項４】
複数のスイッチと切スイッチを有したメカスイッチ部２６と、
前記複数のスイッチにおけるいずれかのスイッチの出力側に設けたタイマー回路３０を備え、
前記いずれかのスイッチをＯＮした時には、前記タイマー回路３０の設定時間だけ電動機器に通電するようにしたことを特徴とするスイッチ装置。
【請求項５】
前記複数のスイッチは、手動で操作される操作部と、ＯＮ，ＯＦＦするスイッチ部を有したメカ式押し釦スイッチで、
前記タイマー回路３０により設定時間だけ通電されて作動する表示部を、前記いずれかのスイッチの操作部、又はその操作部と隣接して設けた請求項４記載のスイッチ装置。
【請求項６】
前記タイマー回路３０は、電源部３１とタイマー駆動部３２と出力部３３を備え、前記電源部３１は電源２７に接続して常時所定の電圧に維持されて前記タイマー駆動部３２を待機状態とし、
前記電源部３１の電圧の立ち上がり、立ち下がりを遅く、前記タイマー駆動部３２の電圧の立ち上がり、立下りを早くし、
前記いずれかのスイッチのＯＮ信号でタイマー駆動部３２は直ちにセットされて設定時間だけ出力部３３から電動機器に通電し、前記いずれかのスイッチのＯＦＦ信号でタイマー駆動部３２は直ちにクリアされるようにした請求項４又は５記載のスイッチ装置。
【請求項７】
前記タイマー駆動部３２の設定時間は、抵抗４５の抵抗値と設定用コンデンサ４６の容量の積で決定され、その抵抗４５を可変式の抵抗とすると共に、その抵抗値を可変とする抵抗値操作部４７を設けた請求項６記載のスイッチ装置。
【発明の詳細な説明】
【技術分野】
【０００１】
本発明は、調理時に発生した油煙などを屋外に排出するレンジフード及び、そのレンジフードを運転、停止する操作装置などに用いるスイッチ装置に関する。
【背景技術】
【０００２】
レンジフードとしては、モータにより回転される排気ファンとフードを備え、その排気ファンのモータをスイッチ装置により駆動制御して運転、停止するものが知られている。
前述のモータの駆動制御としては、メカスイッチと呼ばれる押し釦方式のスイッチ装置によりモータを駆動制御する方式が知られている。
【０００３】
例えば、図９に示すように、強スイッチ１と中スイッチ２と弱スイッチ３と切スイッチ４とを、前記強・中・弱スイッチ１，２，３のいずれか１つを押してＯＮすると、その押された状態を維持すると共に、ＯＮのままとなる。この状態で他のスイッチを押してＯＮするとＯＮであったスイッチがＯＦＦすると共に、元の状態に復帰し、切スイッチ４をＯＮするとＯＮであったスイッチがＯＦＦとなると共に、元の状態に復帰するように機械的に連結してメカスイッチと呼ばれる押し釦方式のスイッチ装置５とする。
このスイッチ装置５とランプスイッチ６で操作装置とする。
前記スイッチ装置５で排気ファンを回転するモータ７を駆動制御してレンジフードを運転、停止すると共に、ランプスイッチ６でランプ８を点灯、消灯する。
【０００４】
前述のモータの駆動制御としては、ソフトタッチスイッチを用いたマイコン制御方式のスイッチ装置によりモータを駆動制御する方式が知られている。
【発明の開示】
【発明が解決しようとする課題】
【０００５】
前述したソフトタッチスイッチを用いたマイコン制御方式のスイッチ装置によれば、強、中、弱スイッチからの信号によってマイコンが任意にモータに通電制御するので、弱スイッチをＯＮしてから設定の時間が経過したらモータへの通電を止めて停止できる。つまり、タイマー機能を有している。
このようであるから、レンジフードを調理後に設定時間だけ残遅運転することができる。
しかし、ソフトタッチスイッチを用いたマイコン制御方式のスイッチ装置は価格が高価であるから、調理後に残遅運転できるレンジフードは高価である。
【０００６】
前述したメカスイッチと呼ばれる押し釦方式のスイッチ装置は価格が安価であるから、このスイッチ装置を備えたレンジフードは安価である。
しかし、前述したスイッチ装置は、強・中・弱スイッチ１，２，３のいずれか１つがＯＮしている時だけモータ７に通電するので、前述したタイマー機能がない。
このようであるから、メカスイッチと呼ばれる押し釦方式のスイッチ装置を用いたレンジフードにおいては調理後の残遅運転ができない。
【０００７】
本発明の目的は、調理後に残遅運転できると共に、安価であるレンジフード及び安価なスイッチと用いてタイマー機能を有するようにできるスイッチ装置を提供することである。
【課題を解決するための手段】
【０００８】
本発明のレンジフードは、フード１０と、モータ１２で回転される排気ファン１１と、前記モータ１２を駆動制御するスイッチ装置２０を備え、
前記スイッチ装置２０は、電源２７とモータ１２を接続し、当該モータ１２を異なる速度で駆動する複数のスイッチと切スイッチを有したメカスイッチ部２６を備え、
前記複数のスイッチにおけるいずれかのスイッチとモータ１２との間に、設定時間だけモータ１２に通電するタイマー回路３０を設けたことを特徴とするレンジフードである。
【０００９】
本発明のレンジフードにおいては、前記タイマー回路３０により設定時間だけ作動する表示部をスイッチ装置２０に設けることができる。
【００１０】
このようにすれば、レンジフードを残遅運転している時に表示部が作動し、残遅運転が終了すると表示部が停止するので、その表示部によってレンジフードが残遅運転していることを感知できる。
【００１１】
本発明のレンジフードにおいては、前記タイマー回路３０は、電源部３１とタイマー駆動部３２と出力部３３を備え、前記電源部３１は電源２７に接続して常時所定の電圧に維持されて前記タイマー駆動部３２を待機状態とし、
前記電源部３１の電圧の立ち上がり、立ち下がりを遅く、前記タイマー駆動部３２の電圧の立ち上がり、立下りを早くし、
前記いずれかのスイッチのＯＮ信号でタイマー駆動部３２は直ちにセットされて設定時間だけ出力部３３からモータ１２に通電し、前記いずれかのスイッチのＯＦＦ信号でタイマー駆動部３２は直ちにクリアされるように構成できる。
【００１２】
このようにすれば、いずれかのスイッチを素早くＯＮ，ＯＦＦを繰り返してもタイマー回路３０は正確にタイマー時間を設定できる。
【００１３】
本発明のスイッチ装置は、複数のスイッチと切スイッチを有したメカスイッチ部２６と、
前記複数のスイッチにおけるいずれかのスイッチの出力側に設けたタイマー回路３０を備え、
前記いずれかのスイッチをＯＮした時には、前記タイマー回路３０の設定時間だけ電動機器に通電するようにしたことを特徴とするスイッチ装置である。
【００１４】
本発明のスイッチ装置においては、前記複数のスイッチは、手動で操作される操作部と、ＯＮ，ＯＦＦするスイッチ部を有したメカ式押し釦スイッチで、
前記タイマー回路３０により設定時間だけ通電されて作動する表示部を、前記いずれかのスイッチの操作部、又はその操作部と隣接して設けることができる。
【００１５】
このようにすれば、操作部を押すことでＯＮ，ＯＦＦできるし、その操作部を目視することで表示部が見えるから、いずれかのスイッチの操作部を押してタイマー回路３０の設定時間だけ電動機器に通電している状態を、表示部の表示動作によって感知することができる。
【００１６】
本発明のスイッチ装置においては、前記タイマー回路３０は、電源部３１とタイマー駆動部３２と出力部３３を備え、前記電源部３１は電源２７に接続して常時所定の電圧に維持されて前記タイマー駆動部３２を待機状態とし、
前記電源部３１の電圧の立ち上がり、立ち下がりを遅く、前記タイマー駆動部３２の電圧の立ち上がり、立下りを早くし、
前記いずれかのスイッチのＯＮ信号でタイマー駆動部３２は直ちにセットされて設定時間だけ出力部３３から電動機器に通電し、前記いずれかのスイッチのＯＦＦ信号でタイマー駆動部３２は直ちにクリアされるように構成できる。
【００１７】
このようにすれば、いずれかのスイッチを素早くＯＮ，ＯＦＦを繰り返しても電動機器に正確に設定時間だけ通電して電動機器を正確に設定時間だけ駆動できる。
【００１８】
本発明のスイッチ装置においては、前記タイマー駆動部３２の設定時間は、抵抗４５の抵抗値と設置用コンデンサ４６の容量の積で決定され、その抵抗４５を可変式の抵抗とすると共に、その抵抗値を可変とする抵抗値操作部４７を設けることができる
【００１９】
このようにすれば、抵抗値操作部４７を操作して抵抗値を変えることでタイマー回路３０の設定時間を変更できる。
【発明の効果】
【００２０】
本発明のレンジフードによれば、いずれかのスイッチをＯＮすることでモータ１２にタイマー回路３０の設定時間だけ通電し、設定時間経過すればモータ１２への通電を止めるので、モータ１２を設定時間だけ駆動してレンジフードを設定時間だけ運転できる。
したがって、調理後にいずれかのスイッチをＯＮすることでレンジフードを残遅運転できる。
【００２１】
しかも、スイッチ装置２０は複数のスイッチと切スイッチを有したメカスイッチ部２６を有しているから、そのスイッチ装置２０は安価で、レンジフードを安価とすることができる。
【００２２】
本発明によるスイッチ装置によれば、いずれかのスイッチをＯＮした時にはタイマー回路３０の設定時間だけ電動機器に通電するので、タイマー機能を有するスイッチ装置である。
しかも、複数のスイッチと切スイッチを有したメカスイッチ部２６を有しているから、安価なスイッチ装置である。
【発明を実施するための最良の形態】
【００２３】
図１に示すように、レンジフードはフード１０と排気ファン１１を備え、そのフード１０が調理器具の上方に取付けられる。その前記排気ファン１１をモータ１２で回転することによって調理時に発生した油煙等をフード１０で捕集して図示しない排気ダクトを通して屋外に排出する。
前記フード１０にはスイッチ装置２０が取付けてある。
このスイッチ装置２０は、複数のスイッチ、例えば急速スイッチ２１、通常スイッチ２２、タイマースイッチ２３と切スイッチ２４とランプスイッチ２５を有している。
前記急速スイッチ２１、通常スイッチ２２、タイマースイッチ２３と切スイッチ２４は前記モータ１２を駆動制御し、前記ランプスイッチ２５はフード１９に取付けたランプ（照明）１３を点灯、消灯する。
【００２４】
前記急速スイッチ２１、通常スイッチ２２、タイマースイッチ２３、切スイッチ２４は図２に示すように、手動で操作される操作部２１ａ，２２ａ，２３ａ，２４ａとスイッチ部２１ｂ，２２ｂ，２３ｂ，２４ｂを備えたメカスイッチと呼ばれる押し釦方式のスイッチ装置である。前記ランプスイッチ２５も同様に操作部２５ａとスイッチ部２５ｂを備えている。
前記急速・通常・タイマースイッチ２１，２２，２３のいずれか１つの操作部２１ａ，２２ａ，２３ａを押してＯＮ位置とするとスイッチ部がＯＮすると共に、操作部はＯＮ位置を維持する。この状態で他のスイッチの操作部を押してＯＮ位置とすると押したスイッチのスイッチ部がＯＮとなると共に、操作部がＯＮ位置を維持し、ＯＮであった他のスイッチのスイッチ部がＯＦＦし、操作部が元の位置に復帰する。前記切スイッチ２４の操作部２４ａを押してＯＮ位置とするとＯＮであったスイッチのスイッチ部がＯＦＦすると共に、操作部が元の位置に復帰する。
要するに、急速・通常・タイマー・切スイッチ２１，２２，２３，２４がメカスイッチ部２６を構成している。
【００２５】
前記ランプスイッチ２５は、操作部２５ａを１度押すとスイッチ部２５ｂがＯＮし、再度押すとスイッチ部２５ｂがＯＦＦする。
つまり、このランプスイッチ２５はランプ１３を点灯するもので、モータ１２の駆動制御には関係がなく、スイッチ装置２０としてはランプスイッチ２５が無くとも良い。
【００２６】
前記各スイッチのスイッチ部２１ｂ，２２ｂ，２３ｂ，２４ｂ，２５ｂの入力側（端子）は電源２７に接続し、急速スイッチ２１、通常スイッチ２２のスイッチ部２１ｂ，２２ｂの出力側（端子）は前記モータ１２に接続し、タイマースイッチ２３の出力側（端子）はタイマー回路３０に接続し、ランプスイッチ２５のスイッチ部２５ｂの出力側（端子）は前記ランプ１３に接続している。
【００２７】
前記タイマー回路３０は図３に示すように、電源部３１とタイマー駆動部３２と出力部３３を有している。
前記電源部３１は電源２７に接続していると共に、前記各スイッチのスイッチ部２１ｂ〜２５ｂの入力側にそれぞれ接続している。
前記タイマー駆動部３２はタイマースイッチ２３のスイッチ部２３ｂの出力側に接続し、そのスイッチ部２３ｂがＯＮするとタイマーセットされて出力部３３を設定時間だけＯＮする。
前記出力部３３は電源部３１をモータ１２に接続制御するスイッチである。
【００２８】
次に、レンジフードの動作を説明する。
前記急速スイッチ２１の操作部２１ａを押してＯＮ位置とすることで、そのスイッチ部２１ｂをＯＮするとモータ１２の高速端子１２ａに通電されてモータ１２が高速回転するので排気ファン１１が高速駆動してレンジフードは高速運転される。
前記通常スイッチ２２の操作部２２ａを押してＯＮ位置とすることで、そのスイッチ部２２ｂをＯＮするとモータ１２の中速端子１２ｂに通電されてモータ１２が中速回転するので排気ファン１１が中速駆動してレンジフードは中速運転される。
【００２９】
前記タイマースイッチ２３の操作部２３ａを押してＯＮ位置とすることで、そのスイッチ部２３ｂをＯＮすると、タイマー駆動部３２にタイマーセット信号が入力されて出力部３３をＯＮするので、モータ１２の低速端子１２ｃに通電されてモータ１２が低速回転し、排気ファン１１が低速駆動してレンジフードは低速運転される。
そして、タイマー駆動部３２が設定した時間が経過（タイムアップ）すると出力部３３がＯＦＦし、モータ１２の低速端子１２ｃに通電されないので、モータ１２が停止し、レンジフードは停止する。
【００３０】
このようであるから、調理後にタイマースイッチ２３をＯＮすることでレンジフードを設定時間だけ運転できる、つまり調理後に残遅運転できる。
また、メカスイッチ部２６とタイマー回路３０でスイッチ装置２０としたので、そのスイッチ装置２０が安価であるから、レンジフードを安価とすることができる。
【００３１】
なお、前述のようにして残遅運転が終了した後にレンジフードを再び運転する場合には、急速スイッチ２１又は中速スイッチ２２を前述のようにしてＯＮしてレンジフードを高速運転、中速運転する。
すなわち、複数のスイッチはモータ１２を異なる速度で駆動するスイッチである。
【００３２】
前述の実施の形態ではタイマー回路３０の出力側（出力部３３）をモータ１２の低速端子１２ｃに接続してタイマースイッチ２３をＯＮした時にモータ１２が設定時間だけ低速駆動するようにしたが、これに限ることはなく、タイマースイッチ２３をＯＮした時にモータ１２を任意の速度で設定時間だけ駆動するようにしても良い。
例えば、図４に示すようにタイマー回路３０の出力側（出力部３３の出力側）をモータ１２の中速端子１２ｂに接続し、タイマースイッチ２３をＯＮした時に設定時間だけ中速端子１２ｂに通電してモータ１２を中速駆動し、レンジフードを設定時間だけ中速運転できるようにする。
つまり、レンジフードの残遅運転は中速で設定時間だけ運転することでも良い。
【００３３】
前述のタイマー回路３０の具体例を図５に基づいて説明する。
前記タイマー回路３０は、トランス３４、第１・第２整流回路３５１，３５２、レギュレータＩＣ３６、タイマーＩＣ３７、リレー３８、第１・第２・第３トランジスタ３９１，３９２，３９３を有している。
そして電源２７のＡＣ１００Ｖをトランス３４で変圧すると共に、第１整流回路３５１で整流して、コンデンサ４０の容量に見合う時間が経過（つまり、コンデンサ４０に電流が充電完了するまでの時間）すると電源線４１，４２間に直流電圧（例えば、ＤＣ１２Ｖ）が流れるようになる。
この直流電圧はレギュレータＩＣ３６で設定される。
前記電源線４１，４２にタイマーＩＣ３７が第２トランジスタ３９２を介して接続し、タイマー回路３０は常時待機状態となっている。
前述のトランス３４、第１整流回路３５、レギュレータＩＣ３６が前記電源部３１である。
前記第２整流回路３５２、第１・第２・第３トランジスタ３９１，３９２，３９３、タイマーＩＣ３７が前記タイマー駆動部３２である。
前記リレー３８は、コイル３８ａと接点３８ｂを有している。
前記リレー３８の接点３８ｂがモータ１２の中速端子１２ｂに接続し、このリレー３８が前述の出力部３３である。
【００３４】
前記タイマースイッチ２３のスイッチ部２３ｂをＯＮすると、第２整流回路３５２から直流電圧が出力され、第１トランジスタ３９１，第２トランジスタ３９２が順次ＯＮする。
この第２トランジスタ３９２がＯＮすることでダイオード４３を通してタイマー用コンデンサ４４に電流が流れ、そのタイマー用コンデンサ４４が充電完了してタイマーＩＣ３７の駆動電圧以上となると、そのタイマーＩＣ３７がセットされる。
このタイマーＩＣ３７によって第３トランジスタ３９３がＯＮされ、リレー３８のコイル３８ａに電流が流れることで接点３８ｂがＯＮし、モータ１２の中速端子１２ｂに電源２７の電圧が流れてモータ１２が中速回転する。
これと同時に、前記タイマーＩＣ３７は設定時間を一からカウント開始し、設定した時間（数）をカウント完了すると第３トランジスタ３９３がＯＦＦし、リレー３８のコイル３８ａに通電されなくなるので、接点３８ｂがＯＦＦする。
【００３５】
前述のタイマーＩＣ３７の設定時間のカウントは、抵抗４５を通して設定用コンデンサ４６に電流が流れることで、その設定用コンデンサ４６に電流が充満するとカウント完了とする。
そして、タイマー回路３０の設定時間は、前記抵抗４５の抵抗値と設定用コンデンサ４６の容量の積で決定される。
本発明においては、前記抵抗４５を可変式の抵抗とし、その抵抗値を可変とする抵抗値操作部４７を設けてある。例えば、目盛付のダイヤルとしてある。
このようにすることで、タイマー回路３０の設定時間を変更できる。
前述のタイマーＩＣ３７の設定時間のカウントは、設定用コンデンサ４６に電流が充満した後、その電荷を放電させる充放電を繰り返し行うように制御し、その繰り返し数を数えることで、設定時間をカウントするようにしても良い。
この場合でも、抵抗４５の抵抗値を変えることで設定用コンデンサ４６の充放電の時間が異なるから、タイマー回路３０の設定時間を変更できる。
【００３６】
前述のように、タイマーＩＣ３７の入力側（電源線４１，４２）には常時所定の電圧が発生して待機状態（タイマー回路３０が常時通電状態）であるので、タイマースイッチ２３のスイッチ部２３ｂがＯＮすると、タイマー用コンデンサ４４が充電完了後にタイマーＩＣ３７がセットされる。
また、タイマースイッチ２３のスイッチ部２３ｂがＯＦＦすると、タイマー用コンデンサ４４が放電終了後にタイマーＩＣ３７がクリア（カウント値ゼロ）する。
前記タイマー用コンデンサ４４（タイマー駆動部３２のコンデンサ）の容量は、前記電源線４１，４２に設けたコンデンサ４０（電源部３１のコンデンサ）の容量よりも小さく、前述のようにタイマースイッチ２３のスイッチ部２３ｂをＯＮしてからタイマーＩＣ３７がセットされるまでの時間が短く、ＯＦＦしてからタイマーＩＣ３７がクリアされるまでの時間が短い。
このようであるから、タイマースイッチ２３のスイッチ部２３ｂをＯＮ，ＯＦＦすると時間遅れなく速やかにタイマーＩＣ３７がセット、クリア（カウンタ値をゼロ）するから、そのスイッチ部２３ｂをＯＦＦしてから直ちにＯＮした際に、タイマーＩＣ３７は一からカウント開始し、タイマー時間を正確に設定でき、正確なタイマーとして働く。
したがって、タイマースイッチ２３のスイッチ部２３ｂのＯＮとＯＦＦを素早く繰り返した場合でも、タイマーＩＣ３７で設定した時間だけ正確にモータ１２の中速端子１２ｂに通電することができ、モータ１２を設定時間だけ正確に駆動できる。
【００３７】
これに対して、タイマー回路３０の電源部３１と電源２７との間にタイマースイッチ２３を設け、そのタイマースイッチ２３のスイッチ部２３ｂをＯＮすることで前述のようにコンデンサ４０に電流が流れ充電完了することで待機状態となり、その後にタイマーＩＣ３７がセットされ、前述のようにタイマースイッチ２３のスイッチ部２３ｂをＯＦＦすることで、前記コンデンサ４０が放電終了してからタイマーＩＣ３７がクリアーされるようにすると、前述のようにコンデンサ４０の容量が大きく、タイマースイッチ２３のスイッチ部２３ｂをＯＮ，ＯＦＦしてからタイマーＩＣ３７がセット、クリアされるまでの時間が長いので、タイマースイッチ２３のスイッチ部２３ｂを素早くＯＮとＯＦＦを繰り返した場合にタイマーの設定時間にくるいが生じることがある。
【００３８】
すなわち、前述したようなタイマー回路３０において、電源部３１とタイマー駆動部３２で、電源をＯＮした際の電圧の立ち上がり、及び電源をＯＦＦした際の電圧の立ち下がりの速さが異なる。
前記電源部３１の方がコンデンサー等の容量が大容量であるために遅く、それと比較してタイマー駆動部３２は非常に早い応答となる。
したがって、本発明とは異なり、前述のようにして電源部３１においてタイマー回路全体の電源をＯＮ，ＯＦＦするようにすると、電源部３１の立ち上がり及び立ち下がりの特性に、タイマー回路全体が支配される。
このために、タイマースイッチ２３のスイッチ部２３ｂのＯＮ，ＯＦＦを素早く繰り返した場合、タイマー駆動部３２に掛かる電圧が、タイマーＩＣ３７を駆動する最低電圧以下にならないことがあり、それによってタイマーＩＣ３７の状態がクリアされず、時間のカウントを引き続いて行ってしまうために設定時間がくるうことになる。
【００３９】
要するに、電源部３１の立ち上がり及び立ち下がり特性は、瞬時停電（微笑時間電圧が０に落ちること）に対応するために、遅くしているので、電源部３１の応答を早くすることはできない。
そこで、本発明は応答の速いタイマー駆動部３２で電源のＯＮ，ＯＦＦを行うようにした。
【００４０】
また、図５に示すように電源２７がヒューズ４８を経て各スイッチの入力側に接続してあるので、各スイッチの出力側に異常が生じた時にはヒューズ４８が切れるから安全である。
【００４１】
前述の各実施の形態においてはタイマースイッチ２３をＯＮした時にモータ１２に設定時間だけ通電し、設定時間経過（タイムアップ）すると通電しなくなるが、そのタイマースイッチ２３のスイッチ部２３ｂは設定時間経過してもＯＮのままで、操作部２３ａはＯＮ位置のままであるから、そのタイマースイッチ２３の操作部２３ａがＯＮ位置でスイッチ部２３ｂがＯＮの時にモータ１２に通電しているか、通電していないかを感知することはできないので不便である。
そこで、本発明の第３の実施の形態ではタイマー回路３０の出力部３３がＯＮしている時に表示部を作動し、その表示部が作動している時にはモータ１２に通電されていると感知できるようにした。
【００４２】
例えば、図６に示すようにタイマースイッチ２３を、第１スイッチ部２３ｂ−１と第２スイッチ部２３ｂ−２を有し、１つの操作部２３ａを操作することで第１・第２スイッチ部２３ｂ−１，２３ｂ−２が同時にＯＮすると共に、他のスイッチをＯＮすることで第１・第２スイッチ部２３ｂ−１，２３ｂ−２が同時にＯＦＦするように構成する。
【００４３】
図７に示すように、タイマー回路３０における出力部３３を第１出力部（スイッチ部）３３−１と第２出力部（スイッチ部）３３−２を有するものとし、その第１出力部３３−１をモータ１２の中速端子１２ｂに接続する。
前記第２出力部３３−２をタイマースイッチ２３の第２スイッチ部２３ｂ−２の出力側に接続し、この第２出力部３３−２と第２スイッチ部２３ｂ−２とで表示部回路５０を形成し、その表示部回路５０に表示部、例えば表示ランプ５１を設け、第２スイッチ部２３ｂ−２と第２出力部３３−２がともにＯＮの時に表示ランプ５１が点灯するようにする。
【００４４】
前記表示ランプ５１は、前記タイマースイッチ２３の操作部２３ａに設けたり、その操作部２３ａの近くに設け、この表示ランプ５１が点灯していることでモータ１２に通電されていることを感知できるようにする。
【００４５】
次に動作を説明する。
タイマースイッチ２３の操作部２３ａを操作して第１・第２スイッチ部２３ｂ−１，２３ｂ−２をＯＮすると、前述のようにタイマー駆動部３２に信号が入力されて出力部３３の第１・第２出力部３３−１，３３−２がＯＮする。
前記第１出力部３３−１がＯＮすることで前述のようにモータ１２の中速端子１２ｂに通電される。
前記第２出力部３３−２がＯＮすることで表示部回路５０に通電されて表示ランプ５１が点灯する。
そして、設定時間が経過したら第１・第２出力部３３−１，３３−２がＯＦＦし、モータ１２の中速端子１２ｂへの通電が止められてモータ１２が停止する。
これと同時に、表示部回路５０に通電されなくなって表示ランプ５１が消灯する。
【００４６】
このようであるから、モータ１２に通電されてレンジフードが運転している時には表示ランプ５１が点灯し、モータ１２への通電が止められてレンジフードが停止すると表示ランプ５１が消灯する。
したがって、表示ランプ５１を見ることでレンジフードが残遅運転中であるか、その残遅運転が終了したかを感知できる。
【００４７】
この場合のタイマー回路３０は図８に示すように、リレー３８を第１・第２接点３８ｂ−１，３８ｂ−２有するものとし、その第１接点３８ｂ−１をモータ１２の中速端子１２ｂに接続し、第２端子３８ｂ−２を表示部回路５０に接続すれば良い。
【００４８】
前述したスイッチ装置２０は、メカスイッチ部２６とタイマー回路３０を有するものであり、レンジフードのスイッチ装置のみではなく、他の電動機器を駆動制御するスイッチ装置として使用することができる。
要するに、本発明のスイッチ装置２０は複数のスイッチと切スイッチを有したメカスイッチ部と、前記複数のスイッチにおけるいずれかのスイッチの出力側にタイマー回路を接続し、そのタイマー回路によりモータなどの電動機器に設定時間だけ通電できるようにしたものである。
【図面の簡単な説明】
【００４９】
【図１】本発明の実施の形態を示すレンジフードの正面図である。
【図２】スイッチ装置の説明図である。
【図３】タイマー回路の説明図である。
【図４】スイッチ装置の第２の実施の形態を示す説明図である。
【図５】タイマー回路の具体回路図である。
【図６】本発明のスイッチ装置の第３の実施の形態を示す説明図である。
【図７】タイマー回路の説明図である。
【図８】タイマー回路の具体回路図である。
【図９】従来のスイッチ装置の説明図である。
【符号の説明】
【００５０】
１０…フード、１１…排気ファン、１２…モータ、１３…ランプ、２０…スイッチ装置、２３…タイマスイッチ、２３ａ…操作部、２３ｂ…スイッチ部、２６…メカスイッチ部、３０…タイマー回路、３１…電源部、３２…タイマー駆動部、３３…出力部、５１…表示ランプ（表示部）。
【図１】
2008298357.tif 000003
【図２】
2008298357.tif 000004
【図３】
2008298357.tif 000005
【図４】
2008298357.tif 000006
【図５】
2008298357.tif 000007
【図６】
2008298357.tif 000008
【図７】
2008298357.tif 000009
【図８】
2008298357.tif 000010
【図９】
2008298357.tif 000011